(57)【要約】【課題】ダブルロック機構によるロックの確実性を確保しつつ、容器からの着脱の容易性を向上する容器支持用把手を提供すること。【解決手段】一部が開閉可能な環状のアタッチメント部２０と、アタッチメント部２０の両端間をロックするロック手段１００と、ハンドル部２１とを備える容器支持用把手１０であって、ハンドル部２１は、アタッチメント部２０の外周面から外側下方に向けて延びるように形成され、ロック手段１００はアタッチメント部２０の一方の前記ハンドル部側に設けられ、第１ロック部材５０および第２ロック部材６０を有し、ロック解除操作時に第２ロック部材６０の第２操作部６１が通る軌跡Ｔは、ロック状態での第１操作部５１の少なくとも一部分に重なるまたは隣接する容器支持用把手１０。【選択図】図２
2015193394.tif 000002
【特許請求の範囲】
【請求項１】
一部が開閉可能な環状に形成され容器に取り付けられるアタッチメント部と、前記アタッチメント部の両端間をロックするロック手段と、前記アタッチメント部に形成されたハンドル部とを備える容器支持用把手であって、
前記ハンドル部は、前記アタッチメント部の外周から外側下方に向けて延び、
前記ロック手段は、前記アタッチメント部の両端の一方の前記ハンドル部側に設けられ、前記アタッチメント部の両端の他方に設けられた被ロック手段の第１被係合部、第２被係合部にそれぞれ係合可能な係合部を有する第１ロック部材、第２ロック部材を有し、
前記第１ロック部材は、ロック解除操作時に操作される第１操作部を有し、
前記第２ロック部材は、ロック解除操作時に操作される第２操作部を有し、
前記ロック解除操作時に前記第２操作部が通る軌跡は、ロック状態での前記第１操作部の少なくとも一部分に重なるまたは隣接することを特徴とする容器支持用把手。
【請求項２】
前記第１ロック部材は、前記第１被係合部に向けて付勢され、前記第１ロック部材の係合部の前端面の内面の傾斜面が、前記第１被係合部の側面の傾斜面を乗り越えて係合させることを特徴とする請求項１に記載の容器支持用把手。
【請求項３】
前記ハンドル部は、前記ロック手段から９０度±１０度の位置に設けられていることを特徴とする請求項１または請求項２に記載の容器支持用把手。
【発明の詳細な説明】
【技術分野】
【０００１】
本発明は、容器に取り付けられる容器支持用把手に関する。
【背景技術】
【０００２】
従来、大型の飲料用容器等においては、容器運搬時や容器の内容物を注ぐ時などに容器を持ち易くするために、使用者によって把持されるハンドル部を有した容器支持用把手を首部等の容器の一部に取り付けることが知られている（例えば特許文献１を参照）。
【０００３】
この特許文献１に記載される容器支持用把手は、容器の首部の外側に巻き付け状態にして係止させるバンド状係止部と、このバンド状係止部から外方に一体に延出させた把持部とを備え、バンド状係止部の一端および他端に互いに係合可能な係合部が形成されており、容器の首部にバンド状係止部を巻き付けた後に前記係合部を係合させることにより、容器の首部にバンド状係止部が取り付けられる。
【０００４】
ところが、特許文献１に記載される容器支持用把手では、容器支持用把手を用いて容器を運搬する際や、容器支持用把手を用いて容器の内容物を注ぐ際に、バンド状係止部の係合部における係合状態や内容物が充填された容器の重量等に起因して、バンド状係止部の係合部における係合が不用意に解除され、その結果、容器支持用把手から容器が外れ、容器落下による容器の破損や内容物の漏出、使用者の怪我等を生じる恐れがある。
【０００５】
そこで、このような容器の運搬時等における容器支持用把手の外れを防止する方策として、バンド状係止部の両端をロックするロック機構を二重に設け（ダブルロック機構）、一方のロック機構が外れた場合であっても、他方のロック機構によってバンド状係止部の両端間のロックを維持できるようにすることも考えられる。
【先行技術文献】
【特許文献】
【０００６】
【特許文献１】実開昭５９−１６５３３１号公報
【発明の概要】
【発明が解決しようとする課題】
【０００７】
ところが、上述したようなダブルロック機構を容器支持用把手に設けた場合、容器支持用把手のロックの確実性を確保できる反面、別容器への再使用時等の容器から容器支持用把手を取り外す際に、複数回のロック解除操作を必要とするため、一重のロック機構の場合と比較して余分な時間や手間がかかり、迅速な容器支持用把手の取り外しが要求される場合は、容器支持用把手の取り外しの容易性に関する要望があった。
【０００８】
さらには、容器支持用把手の使い勝手を追求すると、ハンドル部を握った手と同じ手でダブルロック機構の解除を可能とした場合には、他方の手を自由な状態にすることが可能であり、他方の手によって容器を支え、内容物を移し変える際に移し変え用容器を保持することができる等、作業の効率性を向上することができるため、より望ましい。
【０００９】
そこで、本発明は、これらの問題点を解決するものであり、ダブルロック機構によるロックの確実性を確保しつつ、容器からの着脱の容易性を向上する容器支持用把手を提供することを目的とするものである。
【課題を解決するための手段】
【００１０】
本発明は、一部が開閉可能な環状に形成され容器に取り付けられるアタッチメント部と、前記アタッチメント部の両端間をロックするロック手段と、前記アタッチメント部に形成されたハンドル部とを備える容器支持用把手であって、前記ハンドル部は、前記アタッチメント部の外周から外側下方に向けて延び、前記ロック手段は、前記アタッチメント部の両端の一方の前記ハンドル部側に設けられ、前記アタッチメント部の両端の他方に設けられた被ロック手段の第１被係合部、第２被係合部にそれぞれ係合可能な係合部を有する第１ロック部材、第２ロック部材を有し、前記第２ロック部材は、ロック解除操作時に操作される第２操作部を有し、前記ロック解除操作時に前記第２操作部が通る軌跡は、ロック状態での前記第１操作部の少なくとも一部分に重なるまたは隣接することにより、前記課題を解決するものである。
【発明の効果】
【００１１】
本請求項１に係る発明によれば、ロック手段がハンドル部側に設けられ、ハンドル部がアタッチメント部の外周から外側下方に向けて延びるように形成され、ロック解除操作時に第２ロック部材の第２操作部が通る軌跡が、ロック状態での第１ロック部材の第１操作部の少なくとも一部分に重なるまたは隣接するように構成することにより、ハンドル部を握った手によって第２ロック部材の第２操作部を操作しつつ、同じ手によって第１ロック部材の第１操作部を操作することが可能である。このため、使用者の片方の手によってハンドル部の把持およびダブルロック機構の解除を行うことができ、他方の手を自由な状態にすることができる。
【００１２】
本請求項２に係る発明によれば、前記第１被係合部に向けて付勢され、前記第１ロック部材の係合部の前端面の内面の傾斜面が、前記第１被係合部の側面の傾斜面を乗り越えて係合させることにより、容器支持用把手を容器に取り付ける際に、第１ロック部材の操作を行うことなく、アタッチメント部の両端を接近させることで第１ロック部材によるロックを実現することが可能である。このため、容器支持用把手の取り付け時には第２ロック部材のみを操作すればよく、使用者の片方の手によってハンドル部の把持およびダブルロック機構のロック動作を行うことができる。
【００１３】
本請求項３に係る発明によれば、ハンドル部が、ロック手段から９０度±１０度の位置に設けられていることにより、ロック解除操作時に、親指以外の数本の指でハンドル部を握りつつ、第２ロック部材の第２操作部に親指を掛け、親指を他の指側に向けて引き付ける動作によって、第２ロック部材および第１ロック部材のロック解除を行うことが可能である。このため、他の指側とは反対側に向けて親指を動かすことで第２操作部を操作する場合等と比較して、小さい力でロック解除を行うことができる。
【図面の簡単な説明】
【００１４】
【図１】本発明の一実施形態である容器支持用把手の使用態様図。
【図２】容器支持用把手を示す斜視図。（ロック状態）
【図３】図２のロックを解除してアタッチメント部を開放した斜視図。（ロック解除状態）
【図４】図２とは異なる角度から見て容器支持用把手を示す斜視図。
【図５】容器支持用把手のロック機構を示す斜視図。
【図６】第２ロック部材をロック解除位置に移動させた状態を示す斜視図。
【図７】第１ロック部材をロック解除位置に移動させた状態を示す斜視図。
【図８】容器支持用把手のロック機構を示す分解斜視図。
【図９】ロック手段の正面図であり、ロック解除操作時における第２操作部の軌跡と第１操作部との位置関係を示す説明図。
【発明を実施するための形態】
【００１５】
以下に、本発明の一実施形態である容器支持用把手１０について説明する。
【００１６】
容器支持用把手１０は、図１に示すように、大型の飲料用容器Ｂの首部Ｂ１に着脱可能に取り付けられるものであり、図２〜図４に示すように、一部が開閉可能な環状に形成され首部Ｂ１の外周に装着されるアタッチメント部２０と、アタッチメント部２０に形成されるハンドル部２１と、アタッチメント部２０の両端間（開閉端３０ａ、４０ａ間）をロックする第１ロック部材５０および第２ロック部材６０で形成されるロック手段１００とを備えている。
【００１７】
まず、アタッチメント部２０は、図２〜図４に示すように、第１ベース部材３０と、第１ベース部材３０にヒンジ部９０でヒンジ接続された第２ベース部材４０とから構成されている。なお、第１ベース部材３０と第２ベース部材４０の形状は、容器の首部の形状に応じて適宜変更すればよい。本実施形態の大型の飲料容器Ｂの場合、首部Ｂ１下部の外径が大きくなる多段形状となっているため、図２〜図４に示すように、第１ベース部材３０と第２ベース部材４０の下部外径が大きい多段形状としている。
さらに、本実施形態では、アタッチメント部２０が２部材から構成されているが、アタッチメント部２０の具体的態様は、一部が開閉可能な環状に形成され、容器Ｂに取り付け可能なものであれば如何なるものでもよく、例えば、アタッチメント部２０を屈曲可能な素材から形成した場合には、アタッチメント部２０を１部材から構成してもよい。
【００１８】
また、第１ベース部材３０のヒンジ部９０側と反対側には開閉できるアタッチメント部２０の両端を備え、図３に示すように、一方のアタッチメント部２０（第１ベース部材３０）の開閉端３０ａ側に第１ロック部材５０および第２ロック部材６０が取り付けられるロック側ベース部３１が設けられているとともに、他方のアタッチメント部２０（第２ベース部材４０）の開閉端４０ａ側には、被ロック側ベース部４１に、第１ロック部材５０を係合させる第１被係合部４２、および第２ロック部材６０を係合させる第２被係合部４３が設けられ、被ロック手段１１０を形成している。
【００１９】
また、第１ロック部材５０は、図５〜図７に示すように、軸部材７０を中心としてロック側ベース部３１に揺動可能（回動可能）に取り付けられ、第１被係合部４２に係合する第１係合部５２を被ロック側ベース部４１側に有する。そして、軸部材７０を挟んで第１係合部５２の反対側に、ロック解除操作時に使用者によって押動される第１操作部５１を有している。第１ロック部材５０は、図８に示すように、コイルバネから成る付勢部材８０によって、第１係合部５２が、被ロック側ベース部４１の第１被係合部４２に係合するロック位置に向けて付勢されている。なお、付勢部材８０の具体的態様は、ゴム等の弾性部材等であってもよく、また、第１ロック部材５０自体を弾性素材から形成し、第１ロック部材５０自体の弾性によって第１ロック部材５０をロック位置に向けて付勢してもよい。
【００２０】
さらに、第１ロック部材５０は、図７に示すように、被ロック側ベース部４１側に面する第１係合部５２の前端面の内面に傾斜面５２ａが形成されている。そして、傾斜面５２ａに対向する第１被係合部４２の側面にも、傾斜面４２ａが形成されている。
【００２１】
また、第２ロック部材６０は、図５〜図７に示すように、第１ロック部材５０との間に所定間隔を置いて第１ロック部材５０の外側を移動するように、軸部材７０を中心としてロック側ベース部３１に旋回可能（回動可能）に取り付けられている。第２ロック部材６０は、Ｕ字状の全体形状を有し、そのＵ字形状の頂点に、ロック操作時およびロック解除操作時に使用者によって操作される第２操作部６１と、被ロック側ベース部４１の第２被係合部４３に係合する第２係合部６２とを有している。
【００２２】
また、上述した第１ロック部材５０の第１操作部５１および第２ロック部材６０の第２操作部６１の配置関係は、図９に示すように、ロック手段１００を正面から見た場合において、ロック解除操作時（矢印Ｄの方向で解除）における第２操作部６１の軌跡Ｔが、ロック状態での第１操作部５１の少なくとも一部分に重なるように設計されている。なお、第２操作部６１の軌跡Ｔが、ロック状態での第１操作部５１の少なくとも一部分に隣接するように設計してもよい。
【００２３】
また、ハンドル部２１は、図２〜図４に示すように、環状のアタッチメント部２０の外周から外側下方に向けて延びるように、第１ベース部材３０に設けられている。このハンドル部２１は、図２や図３から判るように、第１ロック部材５０、および第２ロック部材６０のロック解除或いはロックが容易に行われるように配置されている。例えば図に示すように、ロック手段１００（第１ロック部材５０、第２ロック部材６０）から９０度±１０度の位置に配置するのが好ましい。
【００２４】
つぎに、容器Ｂに対する容器支持用把手１０の取り付け方法の一例について、以下に説明する。
【００２５】
まず、初めに、容器Ｂの首部Ｂ１の周囲にアタッチメント部２０を巻き付けるように配置した後、ロック側ベース部３１（開閉端３０ａ）と被ロック側ベース部４１（開閉端４０ａ）とを接近させ、付勢部材８０のバネ力に抗して、第１ロック部材５０の第１係合部５２を被ロック側ベース部４１の第１被係合部４２に係合させ、第１ロック部材５０によるロックを行う。
【００２６】
この際、ロック側ベース部３１（開閉端３０ａ）を被ロック側ベース部（被ロック部材）４１（開閉端４０ａ）に接近させ、第１係合部５２が第１被係合部４２を容易に乗り越えて係合させるために、図７に示すように、被ロック側ベース部４１側に面する第１係合部５２の前端面の内面には傾斜面５２ａが、ロック側ベース部３１側に面する第１被係合部４２の側面には傾斜面４２ａが形成されている。
【００２７】
次いで、第２ロック部材６０を被ロック側ベース部４１側に向けて旋回させて、第２係合部６２を被ロック側ベース部４１の第２被係合部４３に係合させ、第２ロック部材６０によるロックを行う。
【００２８】
このように、容器Ｂに対する容器支持用把手１０の取り付け時には、ロック側ベース部３１（開閉端３０ａ）と被ロック側ベース部４１（開閉端４０ａ）とを接近させる動作、および、第２ロック部材６０を旋回させる動作の２動作しか必要としないため、例えば、数本の指でハンドル部２１を握りつつ、親指等の残りの指によって上記の２動作を行うことが可能であり、片方の手で取り付け作業を完結させることができる。
【００２９】
次に、容器Ｂからの容器支持用把手１０の取り外し方法の一例について、以下に説明する。
【００３０】
まず、初めに、第２ロック部材６０の第２操作部６１に指を掛けて、第２ロック部材６０をロック側ベース部３１側に向けて旋回させることで、第２ロック部材６０の第２係合部６２と被ロック側ベース部４１の第２被係合部４３との係合を解除し、第２ロック部材６０によるロックを解除する。
【００３１】
そして、第２ロック部材６０の旋回途中または第２ロック部材６０の旋回完了時に、第１ロック部材５０の第１操作部５１を付勢部材８０のバネ力に抗して押すことで、第１ロック部材５０の第１係合部５２と被ロック側ベース部４１の第１被係合部４２との係合を解除し、第１ロック部材５０によるロックを解除する。
【００３２】
次に、第１操作部５１を押した状態のまま、ロック側ベース部３１と被ロック側ベース部４１とを離間させ、容器Ｂの首部Ｂ１からアタッチメント部２０を取り外す。
【００３３】
このように、容器Ｂからの容器支持用把手１０の取り外し時には、図９に示すように、第２操作部６１の軌跡Ｔ上に第１操作部５１が位置していることから、例えば、数本の指でハンドル部２１を握りつつ、親指等の残りの指によって第２操作部６１を旋回させつつ、同じ指によって第１操作部５１を押すことも可能であり、片方の手で取り外し作業を完結させることができる。
【００３４】
なお、上述した実施形態では、アタッチメント部を取り付ける容器の位置が容器の首部であるものとして説明したが、アタッチメント部を取り付ける容器の位置は、容器の胴部等の如何なる箇所でもよい。
また、上述した実施形態では、容器が飲料用容器であるものとして説明したが、容器の具体的用途は如何なるものでもよく、容器の容量、形状も如何なるものでもよい。
また、上述した実施形態では、第１ロック部材および第２ロック部材の両方がロック側ベース部に取り付けられるものとして説明したが、第１ロック部材と第２ロック部材とを異なるベース部に取り付けてもよい。
また、上述した実施形態では、第１ロック部材および第２ロック部材が回動可能に設けられているものとして説明したが、第１ロック部材および第２ロック部材の具体的態様は、他方のベース部に係合し、操作部を操作することによって係合が解除されるものであれば如何なるものでもよい。
【符号の説明】
【００３５】
１０    ・・・  容器支持用把手
２０    ・・・  アタッチメント部
２１    ・・・  ハンドル部
３０    ・・・  第１ベース部材
３０ａ  ・・・  アタッチメント部の一方の開閉端
３１    ・・・  ロック側ベース部
４０    ・・・  第２ベース部材
４０ａ  ・・・  アタッチメント部の他方の開閉端
４１    ・・・  被ロック側ベース部（被ロック部材）
４２    ・・・  第１被係合部
４２ａ  ・・・  傾斜面
４３    ・・・  第２被係合部
５０    ・・・  第１ロック部材
５１    ・・・  第１操作部
５２    ・・・  第１係合部
５２ａ  ・・・  傾斜面
６０    ・・・  第２ロック部材
６１    ・・・  第２操作部
６２    ・・・  第２係合部
７０    ・・・  軸部材
８０    ・・・  付勢部材
９０    ・・・  ヒンジ部
１００  ・・・  ロック手段
１１０  ・・・  被ロック手段
Ｔ    ・・・  第２操作部の軌跡
Ｂ    ・・・  容器
Ｂ１  ・・・  容器の首部
【図１】
2015193394.tif 000003
【図２】
2015193394.tif 000004
【図３】
2015193394.tif 000005
【図４】
2015193394.tif 000006
【図５】
2015193394.tif 000007
【図６】
2015193394.tif 000008
【図７】
2015193394.tif 000009
【図８】
2015193394.tif 000010
【図９】
2015193394.tif 000011